(57)【要約】【課題】  本発明は、樹脂合わせガラスの独自な加工方法に基づく発明であり、多色に着色された樹脂を数カ所から同時、もしくは時系列的に注入し、重合硬化させた興味ある高意匠性合わせガラスの製造方法を提供すること。さらに、自然に混ざり合う境界グラデーションや流線模様が表現でき、しかもこれらパターンの同一化が発現しなく室内の装飾を兼ねた合わせガラスとして利用価値を併せ持つ製造加工方法を提供することにある。【解決手段】  本発明の課題であるグラデーションや多色模様を表現させるため注入口の複数化、異色樹脂の時系列的注入、さらに境界堰き止め管（注入後、除去）の導入などにより、既述課題を解決した方法を開示する。【選択図】  図３
2006001807.tif 000002
【特許請求の範囲】
【請求項１】
液状樹脂を用いた樹脂合わせガラスにおいて、複数色の顔料、染料で調整された各着色樹脂を個別、且つ、同時に注入し、液状樹脂が自然に生み出す流線、境界グラデーション、混合パターンを特徴とする合わせガラス。
【請求項２】
前記合わせガラスを製作加工するために、複数の各着色樹脂は、各々、別な注入口から同時、若しくは僅かな時間差を設けて、注入した樹脂合わせガラス。
【請求項３】
樹脂に蓄光剤、夜光剤などを添加した請求項１もしくは請求項２に記載の樹脂合わせガラス。
【請求項４】
前記合わせガラスは、平ガラス、曲げガラス、若しくは樹脂板（アクリル、ポリカーボネートなど）を用いた請求項１、２、および３に記載の合わせガラス
【発明の詳細な説明】
【技術分野】
【０００１】
合わせガラスは、２枚のガラス間に樹脂層を設け、耐衝撃性、耐貫通性、断熱性、並びにガラスの飛散防止性などを向上させ、最近、多くのガラス建材に用いられている。このうち、樹脂合わせガラスの加工法は、顔料や染料の添加量により、設計者が意図する微妙な色調やガラス間の多色混合化が可能となる。本発明は、これら加工法を検討し、意匠性を一段と高めた樹脂合わせガラスに関するもので、外装材、内装材の壁、窓、スクリーン、照明器具、造形作品などに組み込んで有効に活用できる。
【背景技術】
【０００２】
樹脂合わせガラスは、ガラス周囲に堰き止めテープを貼り、ガラス間に樹脂を注入し、重合硬化させる基本的な加工法は既に公知である。市場の多くを占めているフィルムによる合わせガラスの着色化は、その製造加工法により、着色化されているフィルムを熱融着フィルムに挟み込んでいるため、色のバリエーションや多色配合は、着色フィルムの色調に制限される。
【０００３】
着色フィルムは、押出機により大量に製造する必要があり、設計者やユーザーが要求する微妙な色調や小ロット化の生産は高コストを招く。一方、樹脂合わせガラスは、１枚のガラスにおいては、顔料、染料の添加量により容易に如何なる調色も可能となる。しかし、既存技術では、１枚のガラス部分に複数な多色化やグラデーションを発現させるのは困難である。
【０００４】
樹脂合わせガラスにおいて、樹脂注入は、傾斜させた２枚のガラス間に注入口を１カ所としているため、単色化、若しくは、時系列な異色注入による多色化しかできない。後者は、一層目の樹脂に二層目以降の樹脂が傾斜方向に配色されるだけで、境界のグラデーションや液体の流線などが表現できない。
【特許文献１】特開Ｈ０５−０８４７３８号公報
【発明の開示】
【発明が解決しようとする課題】
【０００５】
液体の流れ方向に異色な流線の模様、あるいは流線方向における自然な多色化模様、多色境界のグラデーション化などを達成するため、注入方法を根本的に検討する必要がある。
【０００６】
上記項目の模様をよりよく表現するため、注入する着色樹脂の最適な粘性率、注入するガラスの角度、多色グラデーション化のための加振法などの技術的課題もある。
【課題を解決するための手段】
【０００７】
流れ方向（傾斜方向）における多色の流線、境界グラデーション、意図的でない自然滴下模様などの達成のため、注入口を各色専用で複数個設ける。あるいは、１個の注入口から攪拌させずに複数色注入することにより、流れ方向に自然な異色流線や自然な配色模様が可能となる。
【０００８】
注入する樹脂の粘性率は、高い場合は、境界が鮮明となり、また低い場合は、滴下中で互いに、混じり合い、中間色となってグラデーションや興味ある流線模様は発現しない。
本課題を解決する粘性率は、度重なる実験の結果、１００〜１５０ｐｏｉｓｅが最適である。
【０００９】
注入するガラスの傾斜角度は、３０度から６０度の範囲であり、適宜、変動させて、その模様を確認し、調整する必要がある。
【００１０】
注入後、模様調整のための振動や軽い衝撃を与え、境界や多色流線の模様をより複雑になるよう実施する。
【発明の効果】
【００１１】
本発明によれば、樹脂合わせガラスの製法を生かし、複数に着色した樹脂を用い、注入方法、樹脂の粘性率適正化などにより、自然滴下によって二色の境界グラデーションや複数色の流線模様が表現でき、興味ある高意匠性合わせガラスの製造が可能となる。これらの色調模様は、色調を含め、同一パターンにはならずオリジナルなデザインになる。これらは、ガラス建材として、スクリーン、衝立、壁材、照明器具、造形作品などに有効に応用できる。
【実施例】
【００１２】
上記のように本発明に係る高意匠性樹脂合わせガラスは、二枚のガラスを十分洗浄し、堰き止めテープにより周囲をシールして合わせたガラスを用意する。樹脂厚は、堰き止めテープの厚さと同一となり、０．５ｍｍから４ｍｍの範囲で制御できる。
【００１３】
あらかじめ、調色する色調を決定し、それに基づいた顔料や染料の所定量を添加して着色樹脂を調整する。顔料もしくは染料は、樹脂に対し、各々、分散性が良好なもの選択する。必要に応じて分散剤を添加し、色むらを防止する。この場合、屋外設置のように耐光性を要求される時は、顔料のほうが望ましい。必要に応じて、贈粘剤や希釈剤を用いて粘性率を調節する。
【００１４】
合わせたガラスを傾斜可能な架台に乗せ、注入口を複数個開ける。各注入口からイメージどおりの着色樹脂を同時あるいは時系列的に滴下させる。また、一個の注入口から二色以上の樹脂を攪拌せずに注入する。
【００１５】
滴下は、必要に応じて二枚のガラス間の奥部まで達するような注入誘導管を取り付け、奥部から樹脂を充填する。流線や二色の境界パターンに着目しながら、必要に応じて微振動や微衝撃を与え、模様を流動化させる。
【００１６】
別の方法として、注入前に二色の境界板を入れておき、注入後に抜き取り、境界部の色を混合させる場合もある。
【００１７】
本発明による加工は、ガラスの他、ポリカーボネート、アクリルなどの樹脂製板でも適用できる。また、平板状の他、曲げ形状（曲げガラス、曲げ樹脂板）においても同様に適用できる。
本発明の実施例を図面に照合しながら具体的に説明する。
【００１８】
２枚のガラス１ａ、１ｂを切断し、同一な曲率を有するように型を用いて曲げ加工を行う。
【００１９】
これらのガラスを十分洗浄し、一方のガラス周囲に堰き止めテープを貼る。この場合、テープの厚さが樹脂の厚さに相当する。四辺のうち、一辺３ａにおける堰き止めテープの離型紙は、除去しなく、三辺３ｂの離型紙を剥がしその粘着剤により２枚のガラス板を合わせる。
【００２０】
離型紙を剥がさない部分の一辺３ａは、樹脂の注入口となる。この辺を吸盤を用い、２枚のガラス間を開き、注入口を数カ所セットする。この場合、端部の注入口は、端部より３００ｍｍ以上離すことが望ましい。
【００２１】
注入口から充填する着色剤（顔料、染料）を樹脂中に添加し、着色樹脂を調整する。この場合、境界の流線やグラデーション化が表現できるような粘性率を確認する。粘性率は、１００から１５０ｐｏｉｓｅ程度が望ましい。
【００２２】
二枚合わせたガラスを傾斜制御できる注入台に固定し、調整した着色樹脂を各注入口から、同時、若しくは時間差をおいて注入する。注入中は、複雑の流線や境界模様となるよう注入台の傾斜角度を調整する。
【００２３】
注入管は、ガラスの縁にとり付ける他、注入誘導管４を取り付け奥部から樹脂を注入
する場合もある。
【００２４】
色の配置をよりデザインの意図に近づけるために、色の境界に仕切り板５を、あらかじめ合わせガラスの間に取り付け、樹脂注入後に取り除く場合もある。
【００２５】
また、振動発生器を用いて、微振動を与えたり、微衝撃を加え模様を、一層、流動化させることで興味あるデザインが可能となる。
【００２６】
本発明の加工は、二枚の他三枚、あるいは複数枚のガラス、ポリカーボネートおよびアクリルなどの樹脂製板でも適用できる。
【００２７】
二枚あるいは複数枚のガラス間平面に堰き止めテープ３ｃをセットし、平、曲げガラスでもステンドグラス状に色の模様や縞模様を作ることもできる。
【００２８】
注入する樹脂中に蓄光剤や夜光顔料を添加し、照明光や自然光中の光を蓄え、照明を切った後に混合模様が暗闇で浮かび上がることも可能となる。
【００２９】
ガラス間に樹脂を注入充填した後、８時間水平に保ち、重合硬化させる。
【００３０】
これにより、デザイン化された模様を固定できる。
【図面の簡単な説明】
【００３１】
【図１】同一の曲率を有するガラス１ａ、１ｂに堰き止めテープを周囲に貼った                図面
【図２】注入管ａ，ｂ，ｃ，ｄより樹脂を注入し、着色樹脂が混合された状態を                示した図面
【図３】注入管、導入管より樹脂を注入し、混合された状態を示した図面
【図４】境界管をセットして混合された状態を示した図面
【図５】２枚目のガラスを合わせた図面
【図６】堰き止めテープを貼った図面
【符号の説明】
【００３２】
１ａ、１ｂ、１ｃ    曲率を有するガラス板
２                  樹脂を注入する辺
３ａ、３ｂ、３ｃ    堰き止めテープ
ａ、ｂ、ｃ、ｄ      注入口
４                  誘導管
５                  境界管
【図１】
2006001807.tif 000003
【図２】
2006001807.tif 000004
【図３】
2006001807.tif 000005
【図４】
2006001807.tif 000006
【図５】
2006001807.tif 000007
【図６】
2006001807.tif 000008